(57)【要約】【課題】衝撃からの保護と位置精度の確保とを両立し得るようにする。【解決手段】紙幣処理装置１は、下段小紙幣収納庫２５Ｂの上部に硬質な材料でなる台座部３４及び回避空間３５を設けると共に、上段小紙幣収納庫２５Ｃの下部に、下端に衝撃吸収材５５Ｓを有する突出脚部５５及び当該突出脚部５５よりも短く硬質な材料でなる固定脚部５６を設けた。紙幣処理装置１は、下段小紙幣収納庫２５Ｂの上側に上段小紙幣収納庫２５Ｃを積み重ねる際、固定脚部５６を台座部３４に当接させる一方、突出脚部５５を回避空間３５内で宙に浮かせて衝撃吸収材５５Ｓを下段小紙幣収納庫２５Ｂに当接させない。このため紙幣処理装置１は、下段小紙幣収納庫２５Ｂに対する上段小紙幣収納庫２５Ｃの上下方向の位置を精度良く定めて、上受渡口３２と下受渡口５８との間における紙幣の受渡精度を高めることができる。【選択図】図１１
2015197686.tif 000002
【特許請求の範囲】
【請求項１】
紙葉状の媒体を収納する収納庫と、
前記収納庫の周側面よりも外方へ突出し、他の物体と当接する場合に変形する可変当接部と、
前記収納庫の周側面に設けられ、前記可変当接部よりも該周側面側に形成される固定当接部と、
前記収納庫を所定の支持位置に支持する支持体と、
前記支持体に設けられ、前記収納庫を前記支持位置に支持するときに前記固定当接部と当接する台座部と、
前記支持体に形成され、前記固定当接部を前記台座部に当接させて前記収納庫を前記支持位置に支持する際、前記可変当接部との当接を回避する当接回避部と
を具えることを特徴とする媒体収納装置。
【請求項２】
前記支持体において、前記支持位置にあるときの前記収納庫と対向する面に設けられ、当該収納庫との間で前記媒体を受け渡す支持体側受渡口と、
前記支持位置にあるときの前記収納庫における前記支持体と対向する面に設けられ、当該支持体の前記支持体側受渡口との間で前記媒体を受け渡す収納庫側受渡口と
をさらに具えることを特徴とする請求項１に記載の媒体収納装置。
【請求項３】
前記支持体は、所定のスロット内における下側に装着され、前記媒体を収納する下段収納庫であり、
前記台座部及び前記当接回避部は、前記下段収納庫の上面に設けられ、
前記可変当接部及び前記固定当接部は、前記収納庫の下面に設けられ、
前記収納庫は、前記スロット内において前記下段収納庫の上側に装着され、前記下段収納庫との間で前記媒体を受け渡す
ことを特徴とする請求項２に記載の媒体収納装置。
【請求項４】
前記支持体に設けられ電気信号を伝達する端子を複数有する支持体側コネクタと、
前記収納庫に設けられ、電気信号を伝達する端子を複数有し、当該収納庫が前記支持位置に支持される際に前記支持体側コネクタと嵌合する収納庫側コネクタと
をさらに具えることを特徴とする請求項１に記載の媒体収納装置。
【請求項５】
前記支持体に設けられ、当該支持体に対し前記収納庫を前記支持位置に支持する際に当該収納庫から力が加えられる印加方向と交差する交差方向に関する位置を規制するポストと、
前記収納庫に設けられ、当該収納庫が前記支持位置に支持される際に前記ポストと係合することにより前記交差方向に関する位置が規制されるポスト係合部と
をさらに具えることを特徴とする請求項１に記載の媒体収納装置。
【請求項６】
前記台座部は、前記ポストの周囲に形成され、
前記固定当接部は、前記ポスト係合部の周囲に形成される
ことを特徴とする請求項５に記載の媒体収納装置。
【請求項７】
前記固定当接部は、前記収納庫の下面に重心を投影した投影点を囲む３以上の箇所に設けられ、
前記台座部は、前記支持体の上面における前記固定当接部とそれぞれ対向する箇所でそれぞれ当接することにより、前記支持体に対する前記収納庫の傾斜角度を固定する
ことを特徴とする請求項１に記載の媒体収納装置。
【請求項８】
前記支持体は、前記収納庫を前記支持位置に支持する際、当該収納庫における前記固定当接部が設けられた面と異なる箇所において当該収納庫と当接する第２当接部
をさらに具えることを特徴とする請求項１に記載の媒体収納装置。
【請求項９】
媒体収納装置を内部に有する紙幣処理装置であって、
前記媒体収納装置は、
紙葉状の媒体を収納する収納庫と、
前記収納庫の周側面よりも外方へ突出し、他の物体と当接する場合に変形する可変当接部と、
前記収納庫の周側面に設けられ、前記可変当接部よりも該周側面側に形成される固定当接部と、
前記収納庫を前記紙幣処理装置内における所定の支持位置に支持する支持体と、
前記支持体に設けられ、前記収納庫を前記支持位置に支持するときに前記固定当接部と当接する台座部と、
前記支持体に形成され、前記固定当接部を前記台座部に当接させて前記収納庫を前記支持位置に支持する際、前記可変当接部との当接を回避する当接回避部と
を具えることを特徴とする紙幣処理装置。
【発明の詳細な説明】
【技術分野】
【０００１】
本発明は媒体収納装置及び媒体処理装置に関し、例えば金融機関の窓口に設置される紙幣処理装置（いわゆるテラーマシン）に適用して好適なものである。
【背景技術】
【０００２】
従来、紙幣処理装置としては、金融機関の窓口において窓口担当の職員（いわゆるテラー）等の操作者に操作されることにより、顧客との間で現金の入金や出金等のような種々の取引処理を行うものが広く普及している。
【０００３】
この紙幣処理装置は、例えば紙幣が入金される入金部と、紙幣を出金する出金部と、紙幣を搬送する搬送部と、投入された紙幣の金種及び真偽を鑑別する鑑別部と、投入された紙幣を一時的に保留する一時保留部と、金種ごとに紙幣を収納する紙幣収納庫と、再使用すべきでない紙幣を収納するリジェクト庫とを有している。また紙幣処理装置は、操作者が操作する操作端末等と接続されている。
【０００４】
このうち紙幣収納庫は、紙幣処理装置の筐体に対して着脱可能に構成されており、例えば紙幣を内部に装填する場合や収納された紙幣を回収する場合等に、当該筐体から取り外され、装填作業や回収作業が行われる場所まで運搬されることになる。
【０００５】
ここで紙幣収納庫は、大量の紙幣（例えば五千枚や一万枚等）が装填されると、その重量が非常に大きくなる。このため紙幣収納庫を運搬する作業員等は、例えば当該紙幣収納庫の運搬中や、紙幣収納庫を床面上や机面上に置く際に、当該紙幣収納庫を誤って落下させて衝撃を与え、破損させるおそれがある。また紙幣収納庫は、搬送されてきた紙幣を整然と集積するための機構や、内部に収納されている紙幣を１枚ずつに分離して繰り出すための機構等が組み込まれている。これらの機構は、紙幣収納庫の重量を増加させており、その一方で大きな衝撃が加えられると故障するおそれがある。
【０００６】
そこで紙幣収納庫のなかには、樹脂やゴムのような柔軟性を持つ材料でなる衝撃吸収材を下端や各頂点等に取り付けることで、床面上や机面上等に落下された際に衝撃を吸収させて破損や故障を防止するものが提案されている（例えば、特許文献１参照）。
【先行技術文献】
【特許文献】
【０００７】
【特許文献１】特開２００６−２０９５０６号公報（第１０図、第１１図）
【発明の概要】
【発明が解決しようとする課題】
【０００８】
しかしながら、かかる構成の紙幣収納庫は、筐体に装着された際、筐体内の搬送部との間で紙幣を受け渡す必要がある。このため紙幣収納庫は、筐体側に予め設定された理想的な装着位置に対し、極めて高い精度で位置を合わせて装着される必要がある。しかしながら紙幣収納庫は、上述した衝撃吸収材が設けられている場合、その柔軟性により当該衝撃吸収材が容易に変形してしまい、筐体に対する位置精度を確保できない、という問題があった。
【０００９】
本発明は以上の点を考慮してなされたもので、衝撃からの保護と位置精度の確保とを両立し得る媒体収納装置及び媒体処理装置を提案しようとするものである。
【課題を解決するための手段】
【００１０】
かかる課題を解決するため本発明の媒体収納装置においては、紙葉状の媒体を収納する収納庫と、収納庫の周側面よりも外方へ突出し、他の物体と当接する場合に変形する可変当接部と、収納庫の周側面に設けられ、前記可変当接部よりも該周側面側に形成される固定当接部と、収納庫を所定の支持位置に支持する支持体と、支持体に設けられ、収納庫を支持位置に支持するときに固定当接部と当接する台座部と、支持体に形成され、固定当接部を台座部に当接させて収納庫を支持位置に支持する際、可変当接部との当接を回避する当接回避部とを設けるようにした。
【００１１】
また本発明の媒体処理装置においては、媒体収納装置を内部に有する媒体処理装置であって、媒体収納装置は、紙葉状の媒体を収納する収納庫と、収納庫の周側面よりも外方へ突出し、他の物体と当接する場合に変形する可変当接部と、収納庫の周側面に設けられ、可変当接部よりも該周側面側に形成される固定当接部と、収納庫を紙幣処理装置内における所定の支持位置に支持する支持体と、支持体に設けられ、収納庫を支持位置に支持するときに固定当接部と当接する台座部と、支持体に形成され、固定当接部を台座部に当接させて収納庫を支持位置に支持する際、可変当接部との当接を回避する当接回避部とをもうけるようにした。
【００１２】
これにより本発明は、収納庫が他の物体と当接する場合、外方に突出している可変当接部を当該他の物体に当接させて変形させ、当接時に発生する衝撃を吸収できる。その一方で本発明は、支持体により収納庫を支持位置に支持する場合、回避部により可変当接部を宙に浮かせたまま台座部を固定当接部に当接させることにより、当該支持体に対して収納庫を所望の位置に合わせることができる。
【発明の効果】
【００１３】
本発明によれば、収納庫が他の物体と当接する際には可変当接部を変形させて衝撃を吸収でき、支持体により収納庫を支持位置に支持する際には当接回避部により可変当接部を宙に浮かせたまま台座部を固定当接部に当接させ、当該支持体に対して収納庫を所望の位置に合わせることができる。かくして本発明は、衝撃からの保護と位置精度の確保とを両立し得る媒体収納装置及び媒体処理装置を実現できる。
【図面の簡単な説明】
【００１４】
【図１】紙幣処理装置の外観構成を示す略線的斜視図である。
【図２】紙幣処理装置の内部構成を示す略線図である。
【図３】下部筐体の引き出しを示す略線図である。
【図４】下部筐体の構成及び紙幣収納庫の装填を示す略線図である。
【図５】第１の実施の形態による下段小紙幣収納庫の外観構成を示す略線図である。
【図６】第１の実施の形態による台座部及び回避空間の構成を示す略線的斜視図である。
【図７】第１の実施の形態による下段小紙幣収納庫の内部構成を示す略線図である。
【図８】上段小紙幣収納庫の外観構成を示す略線図である。
【図９】脚部の構成を示す略線的斜視図である。
【図１０】上段小紙幣収納庫の内部構成を示す略線図である。
【図１１】下段小紙幣収納庫と上段小紙幣収納庫との積み重ねを示す略線図である。
【図１２】下段小紙幣収納庫と上段小紙幣収納庫との積み重ねを示す略線図である。
【図１３】第２の実施の形態による紙幣収納スロットの構成を示す略線図である。
【図１４】第２の実施の形態による紙幣収納スロットの構成を示す略線的斜視図である。
【図１５】第２の実施の形態による下段小紙幣収納庫の外観構成を示す略線図である。
【図１６】第２の実施の形態による下段小紙幣収納庫の外観構成を示す略線的斜視図である。
【図１７】紙幣収納スロットへの下段小紙幣収納庫の装填を示す略線図である。
【図１８】紙幣収納スロットへの下段小紙幣収納庫の装填を示す略線図である。
【図１９】他の実施の形態による紙幣収納スロットの構成を示す略線的斜視図である。
【図２０】他の実施の形態による紙幣収納スロット及び下段小紙幣収納庫の構成を示す略線図である。
【図２１】他の実施の形態による脚部の構成を示す略線的斜視図である。
【図２２】他の実施の形態による脚部の構成を示す略線的斜視図である。
【発明を実施するための形態】
【００１５】
以下、発明を実施するための形態（以下実施の形態とする）について、図面を用いて説明する。
【００１６】
［１．第１の実施の形態］
［１−１．紙幣処理装置の構成］
図１に示す本実施の形態による紙幣処理装置１は、金融機関の窓口に設置される窓口用現金処理装置（いわゆるテラーマシン）であり、当該窓口において顧客と応対する窓口担当者等に操作されることにより、紙幣の入金処理や出金処理を行う。
【００１７】
紙幣処理装置１は、全体として直方体状に形成された筐体１０の内部に制御部１３が設けられており、この制御部１３により全体を統括制御している。制御部１３は、図示しないＣＰＵ（Central Processing Unit）を中心に構成されており、所定のプログラムを読み出して実行し、入金処理や出金処理等のような種々の処理を行う。また制御部１３は、内部に記憶部を有しており、この記憶部に種々の情報やプログラム等を記憶させる。
【００１８】
筐体１０の上面における前寄りの箇所には、操作者との間で紙幣の授受を行うための入出金部１４が設けられている。この入出金部１４には、手前側から後ろ側へ向かって、紙幣を出金する２個の出金口１６、紙幣を入金させる入金口１５、並びに各種情報の表示及び操作の受付を行う表示操作部１７が順次配置され、当該表示操作部１７の左右に操作ボタン１８がそれぞれ配置される。
【００１９】
なお以下では、紙幣処理装置１のうち表示操作部１７の表示内容を正しく読み取り得る正面側を前側とし、その反対を後側とし、前側から見た場合の左及び右をそれぞれ左側及び右側とし、さらに上側及び下側を定義して説明する。
【００２０】
次に、図２を用いて、紙幣処理装置１の内部構成について説明する。紙幣処理装置１の筐体１０内には、上述した制御部１３の他、搬送部２１、鑑別部２２、一時保留部２３、リジェクト庫２４及び複数個の紙幣収納庫２５が設けられている。
【００２１】
搬送部２１は、筐体１０内の各部を結ぶ搬送路Ｙに沿って配置された各種ローラやベルト及びこれらを駆動するためのギアやモータ等により構成されている。また搬送部２１は、搬送路の分岐点に図示しない搬送路切替機構を配置している。この搬送部２１は、制御部１３の制御に基づき、搬送路に沿って紙幣を搬送すると共に、搬送路切替機構により当該紙幣の搬送先を切り替える。因みに図２では、搬送部２１を構成する部品の一部のみを模式的に示している。
【００２２】
鑑別部２２は、入金口１５の後方下側に配置されている。この鑑別部２２は、搬送部２１により搬送されてくる紙幣の金種、真偽、正損、走行状態などを基に、取り扱うことのできる取扱可能紙幣であるか否かを判別し、また損傷の程度を基に再利用することができる再利用可能紙幣であるか否かを判別して、その判別結果を制御部１３へ送出する。一時保留部２３は、鑑別部２２の後方に配置されており、搬送部２１により搬送されてきた紙幣を内部に一時的に収納し、また収納している紙幣を１枚ずつ搬送部２１へ送出する。
【００２３】
一方、筐体１０内における下部には、最も前側にリジェクト庫２４が配置されており、その後側に前方から後方へ向けて５列の紙幣収納庫２５が順次並ぶように配置されている。各紙幣収納庫２５は、内部に紙幣を集積した状態で収納するようになっており、またそれぞれ金種が割り当てられている。この紙幣収納庫２５は、搬送部２１から搬送されてくる紙幣（正常紙幣）を上下方向に重ねて内部に収納し、また収納している紙幣を１枚ずつ繰り出して搬送部２１へ受け渡す。リジェクト庫２４は、鑑別部２２において再利用不可能と鑑別された紙幣（リジェクト紙幣）を内部に集積して収納する。
【００２４】
かかる構成により紙幣処理装置１は、図示しない端末装置から入金指示を受け付けると、入金処理を行う。具体的に紙幣処理装置１の制御部１３は、操作者に紙幣を入金口１５へ投入させ、後述する分離処理によりこの紙幣を１枚ずつ分離して搬送部２１へ順次送り出す。搬送部２１は、この紙幣を搬送路Ｙに沿って鑑別部２２へ順次搬送する。
【００２５】
制御部１３は、鑑別部２２により各紙幣が取扱可能紙幣であるか否かを鑑別させ、その鑑別結果を基に進捗状況を表示操作部１７に表示しながら、取扱可能紙幣を搬送部２１により一時保留部２３へ搬送する一方、取り扱うことができない紙幣（リジェクト紙幣）を出金口１６へ搬送する。
【００２６】
その後制御部１３は、鑑別した紙幣の枚数等を操作者に確認させた上で、表示操作部１７に進捗状況等の情報を表示しながら、一時保留部２３に保留された取扱可能紙幣を搬送部２１により再度鑑別部２２へ搬送して金種及び損傷の程度を鑑別させる。このとき制御部１３は、再利用可能紙幣をその金種に応じた紙幣収納庫２５に収納させ、再利用できない紙幣（リジェクト紙幣）をリジェクト庫２４に収納させる。
【００２７】
また紙幣処理装置１は、図示しない端末装置から出金指示を受け付けると、出金処理を行う。具体的に制御部１３は、表示操作部１７に進捗状況等の情報を表示しながら、紙幣収納庫２５から出金額に応じた金種及び枚数の紙幣を順次繰り出し、これを搬送部２１により出金口１６へ順次搬送させる。その後制御部１３は、全ての紙幣を出金口１６へ搬送すると、紙幣を操作者に取り出させる。
【００２８】
ところで筐体１０の下側には、前面に開閉可能な前扉１１が設けられると共に、内部に下部筐体１２が内蔵されている。この下部筐体１２は、図示しないスライドレールを介して筐体１０に取り付けられており、前扉１１が開放されると、図３に示すように、当該筐体１０に対し前方へ移動し、当該筐体１０の外部に引き出された状態となる。
【００２９】
下部筐体１２は、図４（Ａ）に示すように、全体的に中空の直方体状に構成されており、上面が開放されている。また下部筐体１２の内部は、前後方向に所定間隔毎に並ぶ５枚の仕切板により、上下方向に細長い６個の空間に仕切られている。このうち最も前側の空間は、他の５個の空間よりも前後方向に狭いリジェクトスロット１２Ｒとなっており、リジェクト庫２４が装填される。残りの５個の空間は、互いにほぼ同等の大きさでなる紙幣収納スロット１２Ｂとなっており、紙幣収納庫２５がそれぞれ装填される。
【００３０】
ここで下部筐体１２の各紙幣収納スロット１２Ｂに装填可能な紙幣収納庫２５としては、上下方向に比較的長い大紙幣収納庫２５Ａと、上下方向に比較的短い下段小紙幣収納庫２５Ｂ及び上段小紙幣収納庫２５Ｃとの３種類がある。このため下部筐体１２の各紙幣収納スロット１２Ｂには、図４（Ｂ）及び（Ｃ）に示すように、１個の大紙幣収納庫２５Ａを装填することができ、或いは１個の下段小紙幣収納庫２５Ｂと１個の上段小紙幣収納庫２５Ｃとを上下に重ねた状態で装填することができる。
【００３１】
因みに下部筐体１２には、図４（Ｂ）及び（Ｃ）に示したように、全ての紙幣収納スロット１２Ｂに同一種類の紙幣収納庫２５を装填する必要は無い。例えば下部筐体１２は、３箇所の紙幣収納スロット１２Ｂに大紙幣収納庫２５Ａを装填し、残りの２箇所の紙幣収納スロット１２Ｂに下段小紙幣収納庫２５Ｂ及び上段小紙幣収納庫２５Ｃの組み合わせをそれぞれ装填すること等ができる。
【００３２】
［１−２．紙幣収納庫の構成］
次に、紙幣収納庫２５のうち下段小紙幣収納庫２５Ｂ及び上段小紙幣収納庫２５Ｃの構成について、それぞれ詳細に説明する。なお大紙幣収納庫２５Ａについては、下段小紙幣収納庫２５Ｂと比較して上下方向の長さが約２倍に拡張されている点以外はほぼ同様であるため、その説明を省略する。
【００３３】
［１−２−１．下段小紙幣収納庫の構成］
支持体としての下段小紙幣収納庫２５Ｂは、図５（Ａ）、（Ｂ）及び（Ｃ）に示すように、全体として直方体状の筐体３０を中心に構成されている。筐体３０は、例えば硬質な樹脂材料が成型されることにより、その内部に紙幣を収納するための収納空間３０Ｓが形成される。
【００３４】
筐体３０の上部には、前側及び左右の前側部分に渡って取手３１が設けられている。取手３１は、左右の後端部分において回動軸を介して筐体３０に取り付けられている。下段小紙幣収納庫２５Ｂが運搬される場合、この取手３１は、回動軸を中心に回動して筐体３０の上面３０Ａから起立した状態となり、保守作業員等により把持される。
【００３５】
また筐体３０の上面３０Ａには、左右方向に細長いスリット状の上受渡口３２が形成されている。この上受渡口３２は、図示しない受渡ガイドにより紙幣の紙面を案内しながら、図示しないローラにより当該紙幣を短辺に沿って上下方向に進行させ、上段小紙幣収納庫２５Ｃ（図４）との間で当該紙幣を受け渡す。また上受渡口３２の前側における左右両端の近傍には、比較的小さな丸孔でなる位置決孔３３が穿設されている。この位置決孔３３は、上段小紙幣収納庫２５Ｃに対する水平方向の相対位置を定める際に使用される（詳しくは後述する）。
【００３６】
さらに筐体３０の上部における前側及び後側には、他の部分よりも所定高さだけ低い段差面３０ＡＤが形成されており、この段差面３０ＡＤから上方へ隆起した台座部３４が左右に１箇所ずつ、合計４箇所に設けられている。
【００３７】
図６に拡大した斜視図を示すように、台座部としての台座部３４は、小型の直方体状に形成されており、その上面である台座上面３４Ａが筐体３０の上面３０Ａよりも低く、且つ当該上面３０Ａとほぼ平行な平面状に形成されている。因みに台座部３４は、例えば筐体３０と一体に成形されることで、硬質な樹脂材料により構成され、十分な剛性を有している。また台座部３４の左右外方には、段差面３０ＡＤと同等の高さの底面を有し、上面３０Ａよりも十分に下方に窪んだ回避空間３５が形成されている。
【００３８】
なお説明の都合上、以下では上面３０Ａから台座上面３４Ａまでの高さ、すなわち上下方向の距離を距離Ｌ１と呼び、当該台座上面３４Ａから段差面３０ＡＤまでの高さ（上下方向の距離）を距離Ｌ２と呼ぶ。
【００３９】
筐体３０の下面には、前後左右の各頂点の近傍に、下方に向けて４個の脚部３６が立設されている。各脚部３６は、筐体３０の下面に固定された脚本体部３６Ｒと、当該脚本体部３６の下側に取り付けられた衝撃吸収材３６Ｓにより構成されている。
【００４０】
脚本体部３６Ｒは、小さな直方体状に形成されており、例えば筐体３０と一体に成形されることで硬質な樹脂材料により構成され、十分な剛性を有している。衝撃吸収材３６Ｓは、上下方向に薄い直方体状に形成されており、例えば樹脂やゴム等のような、外力が加えられると容易に変形し、この外力が開放されると元の形状に戻るような、可撓性を有する材料により構成されている。
【００４１】
この脚部３６は、例えば下段小紙幣収納庫２５Ｂが運搬されて床面や机等の上に載置される際、衝撃吸収材３６Ｓをこの床面や机等に当接させて変形させる。これにより脚部３６は、載置時に発生する衝撃のエネルギーを当該衝撃吸収材３６Ｓに吸収させ、この衝撃を筐体３０へ殆ど伝達させない。
【００４２】
筐体３０（図５）の正面には、開閉可能な扉４０が設けられている。この扉４０は、錠が取り付けられており、解錠された上で開放されると、収納空間３０Ｓを外部と連通させ、当該収納空間３０Ｓ内へ紙幣を装填すること、及び当該収納空間３０Ｓ内から紙幣を取り出すことが可能となる。一方、扉４０は、紙幣収納スロット１２Ｂ（図４）に装填される場合や運搬される場合には、閉塞された上で施錠されることにより、収納空間３０Ｓ内の紙幣を保護する。
【００４３】
また筐体３０内には、図７に示すように、複数のローラや紙幣を案内するガイド等の組み合わせにより構成された分離集積部４１が設けられている。因みにこのローラ等は、下段小紙幣収納庫２５Ｂが紙幣収納スロット１２Ｂ（図４）に装填され所定のコネクタを介して供給される電流や制御信号等に基づき、図示しないモータにより回転駆動される。また筐体３０内には、紙幣の集積状態や搬送状態等を検知するセンサ（図示せず）も設けられている。このセンサは、紙幣の検知結果を基に検知信号を生成し、上述したコネクタを介してこれを制御部１３（図２）等へ通知するようになっている。
【００４４】
この分離集積部４１は、制御部１３（図２）の制御に基づき、上段小紙幣収納庫２５Ｃ（図４）から上受渡口３２を介して搬送されてきた紙幣を収納空間３０Ｓ内へ放出して集積し、また収納空間３０Ｓ内に収納されている紙幣を１枚ずつに分離して繰り出し、上受渡口３２を介して上段小紙幣収納庫２５Ｃへ受け渡すことができる。
【００４５】
このように下段小紙幣収納庫２５Ｂの上部には、上面３０Ａに上段小紙幣収納庫２５Ｃとの間で紙幣を受け渡すための上受渡口３２が形成されると共に、前側及び後側における左右それぞれに台座部３４及び回避空間３５が設けられている。
【００４６】
［１−２−２．上段小紙幣収納庫の構成］
収納庫としての上段小紙幣収納庫２５Ｃは、図８（Ａ）、（Ｂ）、（Ｃ）及び（Ｄ）に示すように、全体として下段小紙幣収納庫２５Ｂと同様の直方体状に形成され、筐体３０と対応する筐体５０を中心に構成されている。筐体５０は、筐体３０と同様、例えば硬質な樹脂材料が成型されることにより、その内部に紙幣を収納するための収納空間５０Ｓが形成される。筐体５０の上部には、筐体３０の取手３１と同様の取手５１が設けられている。
【００４７】
筐体５０の上面５０Ａには、やはり下段小紙幣収納庫２５Ｂの場合と同様に、左右方向に細長いスリット状の上受渡口５２が形成されている。この上受渡口５２は、紙幣を上下方向に進行させ、搬送部２１（図２）との間で当該紙幣を受け渡す。
【００４８】
筐体５０の下面５０Ｂには、上面５０Ａにおける上受渡口５２のほぼ真下となる位置に、左右方向に細長いスリット状の下受渡口５８が設けられている。この下受渡口５８は、上受渡口５２と上下対称に構成されており、下段小紙幣収納庫２５Ｂ（図５）の上受渡口３２との間で紙幣を受け渡すことができる。
【００４９】
また下受渡口５８の前側における左右両端の近傍には、比較的小さな円錐状の突起でなる位置決突起５９が下方へ向けて立設されている。この位置決突起５９は、下段小紙幣収納庫２５Ｂに対する水平方向の相対的な位置を定める際に使用される（詳しくは後述する）。
【００５０】
また筐体５０の下面５０Ｂには、前後左右の各頂点近傍に、下方に向けて４個の脚部５４が立設されている。図９に示すように、各脚部５４は、上下方向に長い直方体状の突出脚部５５と、当該突出脚部５５よりも上下方向に短い直方体状の固定脚部５６とが左右方向に連結されたような形状となっている。因みに脚部５４は、筐体５０の右側及び左側で左右対称に形成されており、左右の外方に突出脚部５５が位置し、その内方に（すなわち左右の中心に近い側に）固定脚部５６が位置している。
【００５１】
可変当接部としての突出脚部５５は、下段小紙幣収納庫２５Ｂの脚部３６と同様、脚本体部３６Ｒ及び衝撃吸収材３６Ｓとそれぞれ同様に構成された脚本体部５５Ｒ及び衝撃吸収材５５Ｓを有している。すなわち衝撃吸収材５５Ｓは、例えば樹脂やゴム等のような、外力が加えられると容易に変形し、この外力が開放されると元の形状に戻るような、可撓性を有する材料により構成されている。
【００５２】
この突出脚部５５は、その下端、すなわち衝撃吸収材５５Ｓの下面である突出下面５５ＳＡを筐体５０の下面５０Ｂよりも十分に下方へ突出させている。このため突出脚部５５は、例えば上段小紙幣収納庫２５Ｃが運搬されて床面や机等の上に載置される際、下段小紙幣収納庫２５Ｂの脚部３６（図５）と同様、衝撃吸収材５５Ｓをこの床面や机等に当接させ変形させることで、載置時に発生する衝撃のエネルギーを吸収させ、この衝撃を筐体５０へ殆ど伝達させない。
【００５３】
一方、固定当接部としての固定脚部５６は、突出脚部５５と比較して、下面５０Ｂからの下方への突出量が小さく、その下面である固定下面５６Ａが、突出脚部５５の突出下面５５ＳＡよりも高く、上段小紙幣収納庫２５Ｃの中心に近い位置にある。このため固定脚部５６は、突出脚部５５の衝撃吸収材５５Ｓが床面や机等に当接したとき、固定下面５６Ａをこの床面や机等に当接させること無く、浮かせた状態とする。
【００５４】
因みに脚部５４は、例えば衝撃吸収材５５Ｓ以外の部分、すなわち突出脚部５５の脚本体部５５Ｒ及び固定脚部５６等が筐体５０と一体に成形されている。
【００５５】
なお説明の都合上、以下では筐体５０の下面５０Ｂから固定脚部５６の固定下面５６Ａまでの高さ、すなわち上下方向の距離を距離Ｌ３と呼び、当該固定下面５６Ａから突出脚部５５の下面、すなわち衝撃吸収材５５Ｓの下面である突出下面５５ＳＡまでの高さ（上下方向の距離）を距離Ｌ４と呼ぶ。
【００５６】
さらに筐体５０（図８）の正面には、下段小紙幣収納庫２５Ｂの場合と同様に、開閉可能な扉６０が設けられている。扉６０は、扉４０と同様、解放時には収納空間５０Ｓに対する紙幣の装填又は取出を可能とし、閉塞時には当該収納空間５０Ｓに収納された紙幣を保護する。
【００５７】
筐体５０内には、図１０に示すように、上下方向に貫通する中継搬送路６３が設けられており、当該中継搬送路６３の上端及び下端が上受渡口５２及び下受渡口５８にそれぞれ接続されている。また中継搬送路６３の上端近傍には、紙幣の搬送経路を切り替える切替器６５が設けられている。この切替器６５は、制御部１３（図２）からの制御に基づいて紙幣の搬送方向を切り替えることにより、上方と下方との間で紙幣を搬送させ、又は上方と前下方との間で紙幣を搬送させる。さらに切替器６５と収納空間５０Ｓとの間には、後上方と前下方とを結ぶように傾斜した搬送路６６が形成されている。搬送路６６の周囲には、下段小紙幣収納庫２５Ｂの分離集積部４１と同様の構成でなる分離集積部６１が配置されている。
【００５８】
このように上段小紙幣収納庫２５Ｃは、筐体５０の下面５０Ｂに取り付ける脚部５４を、下端に衝撃吸収材５５Ｓを取り付けた突出脚部５５と、当該突出脚部５５よりも下面５０Ｂからの突出量が少ない固定脚部５６との組み合わせにより構成している。
【００５９】
［１−３．動作及び効果］
以上の構成において、第１の実施の形態による紙幣処理装置１は、下段小紙幣収納庫２５Ｂの上部に台座部３４及び回避空間３５を設けると共に、上段小紙幣収納庫２５Ｃの下部に突出脚部５５及び固定脚部５６の組み合わせでなる脚部５４を設けた。脚部５４は、突出脚部５５の下端に衝撃吸収材５５Ｓを設ける一方、固定脚部５６の固定下面５６Ａを当該突出脚部５５の突出下面５５ＳＡよりも高くした。
【００６０】
このため上段小紙幣収納庫２５Ｃは、紙幣収納スロット１２Ｂから取り出されて床や机の上に載置される際、突出脚部５５の衝撃吸収材５５Ｓを床や机に当接させることができ、当接時に発生する衝撃を良好に吸収し、上段小紙幣収納庫２５Ｃの損傷を防止することができる。
【００６１】
ここで、紙幣処理装置１において下部筐体１２の紙幣収納スロット１２Ｂ（図４）における下側部分に下段小紙幣収納庫２５Ｂが装填されており、その上側に上段小紙幣収納庫２５Ｃが重なるように装填される場合を想定する。
【００６２】
この場合、下段小紙幣収納庫２５Ｂは、紙幣収納スロット１２Ｂに正しく装填されており、図示しない位置決機構等により当該紙幣収納スロット１２Ｂに対する位置が固定されている。さらに上段小紙幣収納庫２５Ｃは、例えば取手５１が保守作業者等に把持された状態で、紙幣収納スロット１２Ｂ（図４）における前後左右の各側面や図示しないガイド等により案内されながら、その内部で下方へ降ろされていく。
【００６３】
このとき上段小紙幣収納庫２５Ｃは、まず図１１（Ａ）に示すように、下段小紙幣収納庫２５Ｂの上方において、当該下段小紙幣収納庫２５Ｂのほぼ真上に位置する。このとき脚部５４の突出脚部５５は、回避空間３５（図中斜線で示す）のほぼ真上に位置する。また脚部５４の固定脚部５６は、台座部３４のほぼ真上に位置する。上段小紙幣収納庫２５Ｃは、この状態から下方へ降ろされると、脚部５４の突出脚部５５を回避空間３５へ逃がしながら、固定脚部５６の固定下面５６Ａを台座部３４の台座上面３４Ａに近づけていく。
【００６４】
ここで、上段小紙幣収納庫２５Ｃにおける下面３０Ｂから固定下面５６Ａまでの距離Ｌ３は、下段小紙幣収納庫２５Ｂにおける上面３０Ａから台座上面３４Ａまでの距離Ｌ１よりも大きい（距離Ｌ３＞距離Ｌ１）。また、上段小紙幣収納庫２５Ｃにおける固定下面５６Ａから突出下面５５ＳＡまでの距離Ｌ４は、下段小紙幣収納庫２５Ｂにおける台座上面３４Ａから段差面３０ＡＤまでの距離Ｌ２よりも小さい（距離Ｌ４＜距離Ｌ２）。
【００６５】
このため上段小紙幣収納庫２５Ｃは、さらに下方へ降ろされると、やがて図１１（Ｂ）に示すように、固定脚部５６の固定下面５６Ａが台座部３４の台座上面３４Ａに当接した段階で、下段小紙幣収納庫２５Ｂの上側に積み重なり、載置された状態となる。
【００６６】
このとき上段小紙幣収納庫２５Ｃは、下面５０Ｂに設けた４箇所の脚部５４（図８）において、十分な剛性を有する固定脚部５６を、下段小紙幣収納庫２５Ｂ側でやはり十分な剛性を有する台座部３４に当接させている。その一方で突出脚部５５は、上述した距離Ｌ４＜距離Ｌ２の関係により、下端の衝撃吸収材５５Ｓを回避空間３５（図中斜線で示す）内で宙に浮かせた状態となり、下段小紙幣収納庫２５Ｂの段差面３０ＡＤには当接しない。
【００６７】
このため上段小紙幣収納庫２５Ｃは、固定脚部５６を台座部３４に当接させることにより、下段小紙幣収納庫２５Ｂに対し、上下方向に関し所望の位置に合わせることができ、且つその位置や傾斜角度を変化させること無く一定に保つことができる。
【００６８】
また他の観点から見れば、上段小紙幣収納庫２５Ｃは、外力が加えられると変形する性質を有する衝撃吸収材５５Ｓを下段小紙幣収納庫２５Ｂと当接させないことにより、当該下段小紙幣収納庫２５Ｂに対する上下方向の位置や傾斜角度が不安定となることを回避できる。
【００６９】
特に上段小紙幣収納庫２５Ｃは、脚部５４において突出脚部５５の脚本体部５５Ｒ及び固定脚部５６を一体の部品として形成し、両者を互いに近接させた。このため上段小紙幣収納庫２５Ｃは、樹脂材料が成型されることにより構成される筐体５０及び脚部５４における製造誤差や撓みの発生等を極めて小さく抑えて、突出下面５５ＳＡと固定下面５６Ａとの距離Ｌ４をほぼ設計値通りに維持することができる。
【００７０】
さらに上段小紙幣収納庫２５Ｃは、固定脚部５６を台座部３４に当接させる際、２本の位置決突起５９（図８）を下段小紙幣収納庫２５Ｂにおける２箇所の位置決孔３３（図５、図６）にそれぞれ挿入させる。これにより上段小紙幣収納庫２５Ｃは、水平方向（すなわち前後方向及び左右方向）の位置に関し、下段小紙幣収納庫２５Ｂに対して理想的な位置に合わせ、下受渡口５８（図８）を上受渡口３２（図５）の真上に位置させることができる。
【００７１】
すなわち上段小紙幣収納庫２５Ｃは、下段小紙幣収納庫２５Ｂの上受渡口３２に対する下受渡口５８の相対的な位置を、上下方向、前後方向及び左右方向の何れについても、理想的な位置に合わせることができる。これにより上段小紙幣収納庫２５Ｃは、下段小紙幣収納庫２５Ｂとの間で、下受渡口５８及び上受渡口３２を介して紙幣を安定的に搬送することができる。
【００７２】
これと共に上段小紙幣収納庫２５Ｃは、紙幣収納スロット１２Ｂ内における上受渡口５２の位置も、理想的な位置、すなわち下部筐体１２が筐体１０（図２）内に収納されたときに搬送部２１の受渡口と適切に対向し得る位置に、合わせることができる。
【００７３】
これにより紙幣処理装置１は、例えば下段小紙幣収納庫２５Ｂと搬送部２１（図２）との間で紙幣を受け渡す場合、図１２に示すように、下段小紙幣収納庫２５Ｂと上段小紙幣収納庫２５Ｃとの間で紙幣を円滑に受け渡すことができ、当該紙幣を中継搬送路６３（図１０）により上下方向へ搬送した上で、さらにこの紙幣を上段小紙幣収納庫２５Ｃと搬送部２１との間で円滑に受け渡すことができる。
【００７４】
以上の構成によれば、第１の実施の形態による紙幣処理装置１は、下段小紙幣収納庫２５Ｂの上部に硬質な材料でなる台座部３４及び回避空間３５を設けると共に、上段小紙幣収納庫２５Ｃの下部に、下端に衝撃吸収材５５Ｓを有する突出脚部５５及び当該突出脚部５５よりも短く硬質な材料でなる固定脚部５６を設けた。紙幣処理装置１は、下段小紙幣収納庫２５Ｂの上側に上段小紙幣収納庫２５Ｃを積み重ねる際、固定脚部５６を台座部３４に当接させる一方、突出脚部５５を回避空間３５内で宙に浮かせて衝撃吸収材５５Ｓを下段小紙幣収納庫２５Ｂに当接させない。このため紙幣処理装置１は、下段小紙幣収納庫２５Ｂに対する上段小紙幣収納庫２５Ｃの上下方向の位置を精度良く定めて、上受渡口３２と下受渡口５８との間における紙幣の受渡精度を高めることができる。
【００７５】
［２．第２の実施の形態］
第２の実施の形態による紙幣処理装置１０１（図１、図２）は、第１の実施の形態による紙幣処理装置１と比較して、下部筐体１２及び下段小紙幣収納庫２５Ｂに代わる下部筐体１１２及び下段小紙幣収納庫１２５Ｂを有する点において相違するものの、他の点については同様に構成されている。
【００７６】
下部筐体１１２（図４）は、第１の実施の形態による下部筐体１２と比較して、紙幣収納スロット１２Ｂに代わる紙幣収納スロット１１２Ｂを有する点において相違するものの、他の点については同様に構成されている。
【００７７】
［２−１．紙幣収納スロットの構成］
紙幣収納スロット１１２Ｂは、図１３（Ａ）、（Ｂ）及び（Ｃ）並びに図１４に示すように、底部１３１の上面１３１Ａにおける後寄りに、２個の位置決支持部１３３及び１個のスロット側コネクタ１３８がそれぞれ立設されている。
【００７８】
位置決支持部１３３は、左右の両端からやや内側へ寄った箇所に、すなわち左右の両端との間に回避空間１３７を空けた箇所に、それぞれ立設されている。各位置決支持部１３３は、下側部分を占める台座部１３４と、上側部分を占めるポスト１３５とにより構成されている。
【００７９】
台座部１３４は、例えば硬質な樹脂材料により構成されており、中心軸を上下方向に向けた比較的太く短い円柱状に形成され、その上面である台座上面１３４Ａがほぼ水平な平面状となっている。ポスト１３５は、台座上面１３４Ａのほぼ中央から上方に向けて立設されており、中心軸を上下方向に向けた比較的細い円柱状に形成され、その先端が円錐状に細められている。
【００８０】
スロット側コネクタ１３８は、２個の位置決支持部１３３の間であって左右の中央よりも右側に偏った位置、すなわち右側の位置決支持部１３３の近傍に配置されている。このスロット側コネクタ１３８は、全体として左右方向にやや長い直方体状に形成されており、その上面に電気信号又は電流を伝達するための複数の端子（図示せず）が設けられている。なお説明の都合上、以下では底部１３１の上面１３１Ａから台座上面１３４Ａまでの高さ、すなわち上下方向の距離を距離Ｌ５と呼ぶ。
【００８１】
このように紙幣収納スロット１１２Ｂは、底部１３１の上面１３１Ａにおける後寄りに、台座部１３４の台座上面１３４Ａにポスト１３５が立設された位置決支持部１３３が２箇所に設けられ、その左右両外側に回避空間１３７が形成されている。
【００８２】
［２−２．下段小紙幣収納庫の構成］
下段小紙幣収納庫１２５Ｂは、図５と対応する図１５及び図１６に示すように、第１の実施の形態による下段小紙幣収納庫２５Ｂと比較して、筐体３０に代わる筐体１３０を有する点が一部相違するものの、他の部分については同様に構成されている。筐体１３０は、筐体３０と比較して、中空の直方体状に構成されている点や上部に台座部３４及び回避空間３５等が設けられている点において同様であるものの、その下面１３０Ｂの構成が一部相違している。
【００８３】
具体的に下面１３０Ｂには、前後左右の頂点近傍に、第１の実施の形態と同様の脚部３６がそれぞれ立設されることに加えて、後寄りに２箇所の位置決孔１５３及び１箇所のコネクタ孔１５５がそれぞれ穿設されている。
【００８４】
各位置決孔１５３は、丸孔でなり、後側における左右の脚部３６の内側にそれぞれ隣接するように配置されている。各位置決孔１５３の周囲には、被支持部１５４が設けられている。被支持部１５４は、位置決孔１５３の周囲を取り囲むような円環状に形成されており、その下面が下面１３０Ｂと同一の平面上にある。この被支持部１５４は、筐体１３０の一部として、当該筐体１３０と一体に形成される。このため被支持部１５４は、当該筐体１３０と同様、硬質な樹脂材料により形成され、十分な剛性を有する。
【００８５】
コネクタ孔１５５は、２箇所の位置決孔１５３の間であって左右の中央よりも右側に偏った位置、すなわち右側の位置決孔１５３の近傍に配置されている。コネクタ孔１５５は、左右方向に長い角穴となっており、その内部に収納庫側コネクタ１５６が埋め込まれている。
【００８６】
収納庫側コネクタ１５６は、左右方向にやや長い直方体状に形成されており、紙幣収納スロット１１２Ｂに設けられたスロット側コネクタ１３８と嵌合する形状となっている。この収納庫側コネクタ１５６の下面には、スロット側コネクタ１３８の各端子（図示せず）とそれぞれ接触して電気的に接続し得るような複数の端子（図示せず）が設けられている。なお説明の都合上、以下では被支持部１５４から脚部３６における衝撃吸収材３６Ｓの下面である脚部下面３６ＳＡまでの高さ、すなわち上下方向の距離を距離Ｌ６と呼ぶ。
【００８７】
このように下段小紙幣収納庫１２５Ｂは、筐体１３０の下面１３０Ｂにおける後寄りに、左右の脚部３６の内側に位置決孔１５３がそれぞれ穿設され、その周囲に被支持部１５４が形成されており、さらにその間に収納庫側コネクタ１５６が設けられている。
【００８８】
因みにこの第２の実施の形態においても、大紙幣収納庫２５Ａ（図４）が下段小紙幣収納庫１２５Ｂと類似した構成となっており、当該大紙幣収納庫２５Ａの下面が下段小紙幣収納庫１２５Ｂの下面１３０Ｂと同様に構成されている。
【００８９】
［２−３．動作及び効果］
以上の構成において、第２の実施の形態による紙幣処理装置１０１は、紙幣収納スロット１１２Ｂにおける底部１３１の上面１３１Ａに位置決支持部１３３を立設して回避空間１３７を形成し、また下段小紙幣収納庫１２５Ｂの下面１３０Ｂに脚部３６を立設すると共に位置決孔１５３を穿設し、その周囲に被支持部１５４を形成した。
【００９０】
ここで、紙幣処理装置１０１において下部筐体１１２の紙幣収納スロット１１２Ｂに下段小紙幣収納庫１２５Ｂが装填される場合を想定する。この場合、下段小紙幣収納庫１２５Ｂは、第１の実施の形態における上段小紙幣収納庫２５Ｃと同様、例えば取手３１が保守作業者等に把持された状態で、紙幣収納スロット１１２Ｂにおける前後左右の各側面や図示しないガイド等により案内されながら、その内部で下方へ降ろされていく。
【００９１】
このとき下段小紙幣収納庫１２５Ｂは、まず図１１（Ａ）と対応する図１７（Ａ）に示すように、底部１３１から僅かに離れた位置まで到達する。このとき各脚部３６は、各回避空間１３７（図中斜線で示す）のほぼ真上に位置する。また各位置決孔１５３は、各位置決支持部１３３のポスト１３５のほぼ真上に位置する。さらに各被支持部１５４は、各位置決支持部１３３の台座部１３４のほぼ真上に位置する。
【００９２】
下段小紙幣収納庫１２５Ｂは、この状態から下方へ降ろされると、脚部３６を回避空間１３７へ逃がしながら、ポスト１３５を位置決孔１５３内へ誘導し、被支持部１５４を台座部１３４の台座上面１３４Ａに近づけていく。
【００９３】
ここで、下段小紙幣収納庫１２５Ｂにおける被支持部１５４から脚部３６の脚部下面３６ＳＡまでの距離Ｌ６は、底部１３１の上面１３１Ａから台座上面１３４Ａまでの距離Ｌ５よりも小さい（距離Ｌ６＜距離Ｌ５）。このため下段小紙幣収納庫１２５Ｂは、さらに下方へ降ろされると、やがて図１１（Ｂ）と対応する図１７（Ｂ）に示すように、被支持部１５４が台座部１３４の台座上面１３４Ａに当接した段階で、紙幣収納スロット１１２Ｂに装填された状態となる。
【００９４】
このとき下段小紙幣収納庫１２５Ｂは、十分な剛性を有する被支持部１５４を、紙幣収納スロット１１２Ｂ側でやはり十分な剛性を有する台座部１３４に当接させている。その一方で脚部３６は、上述した距離Ｌ６＜距離Ｌ５の関係により、下端の衝撃吸収材３６Ｓを回避空間１３７（図中斜線で示す）内で宙に浮かせた状態となり、紙幣収納スロット１１２Ｂにおける底部１３１の上面１３１Ａには当接しない。
【００９５】
このため下段小紙幣収納庫１２５Ｂは、第１の実施の形態と同様、被支持部１５４を台座部１３４に当接させることにより、紙幣収納スロット１１２Ｂに対し、上下方向に関し所望の位置に合わせることができる。また他の観点から見れば、下段小紙幣収納庫１２５Ｂは、外力が加えられると変形する性質を有する衝撃吸収材３６Ｓを紙幣収納スロット１１２Ｂと当接させないことにより、当該紙幣収納スロット１１２Ｂに対する上下方向の位置が不安定となることを回避できる。
【００９６】
また下段小紙幣収納庫１２５Ｂは、２箇所の位置決孔１５３にポスト１３５をそれぞれ挿入させることにより、水平方向（すなわち前後方向及び左右方向）の位置に関し、紙幣収納スロット１１２Ｂに対して理想的な位置に合わせることができる。
【００９７】
すなわち下段小紙幣収納庫１２５Ｂは、紙幣収納スロット１１２Ｂのスロット側コネクタ１３８に対する収納庫側コネクタ１５６の位置を、水平方向に関しては位置決孔１５３及びポスト１３５により理想的な位置に合わせ、上下方向に関しては被支持部１５４及び台座部１３４により理想的な位置に合わせることができる。
【００９８】
これにより下段小紙幣収納庫１２５Ｂは、紙幣収納スロット１１２Ｂに装填されることで、収納庫側コネクタ１５６をスロット側コネクタ１３８に嵌合させて互いの端子同士を接触させ、電気的に接続させることができる。このとき下段小紙幣収納庫１２５Ｂは、被支持部１５４及び台座部１３４の当接により、収納庫側コネクタ１５６及びスロット側コネクタ１３８に過大な力が加えられることによる破損を防止できる。
【００９９】
ところで下段小紙幣収納庫１２５Ｂは、重心が筐体１３０のほぼ中心に位置するため、下面１３０Ｂのうち後側の被支持部１５４においてのみ台座部１３４により下方から支持されると、その前面を前方に傾けるような力が作用する。このとき下段小紙幣収納庫１２５Ｂは、図１８に示すように、前面の上端近傍にある第２当接点としての当接点１３０Ｐにより、紙幣収納スロット１１２Ｂの前側板１３２に寄りかかるように当接し、当該前側板１３２により支持される。すなわち下段小紙幣収納庫１２５Ｂは、予め設計された傾きに合わせられており、且つこの傾きを安定的に維持することができる。
【０１００】
その他の点についても、第２の実施の形態による紙幣処理装置１０１は、第１の実施の形態による紙幣処理装置１と同様の作用効果を奏し得る。
【０１０１】
以上の構成によれば、第２の実施の形態による紙幣処理装置１０１は、紙幣収納スロット１１２Ｂに硬質な材料でなる台座部１３４を設けて回避空間１３７を形成し、また下段小紙幣収納庫１２５Ｂの下面１３０Ｂに脚部３６を立設すると共に硬質な材料でなる被支持部１５４を形成した。紙幣処理装置１０１は、紙幣収納スロット１１２Ｂに下段小紙幣収納庫１２５Ｂを装填する際、被支持部１５４を台座部１３４に当接させる一方、脚部３６を回避空間１３７内で宙に浮かせて衝撃吸収材３６Ｓを紙幣収納スロット１１２Ｂの底部１３１に当接させない。このため紙幣処理装置１０１は、紙幣収納スロット１１２Ｂに対する下段小紙幣収納庫１２５Ｂの上下方向の位置を精度良く定めて、収納庫側コネクタ１５６及びスロット側コネクタ１３８を破損させること無く適切に嵌合させることができる。
【０１０２】
［３．他の実施の形態］
なお上述した第１の実施の形態においては、固定下面５６Ａ及び台座上面３４Ａを当接させることで下受渡口５８と上受渡口３２との高さを合わせ、第２の実施の形態では、被支持部１５４と台座上面１３４Ａとを当接させて収納庫側コネクタ１５６とスロット側コネクタ１３８との高さを合わせる場合について述べた。
【０１０３】
しかしながら本発明はこれに限らず、上段小紙幣収納庫２５Ｃ側における種々の部分と下段小紙幣収納庫２５Ｂ側における種々の部分との高さを合わせ、或いは下段小紙幣収納庫１２５Ｂ側における種々の部分と紙幣収納スロット１１２Ｂ側における種々の部分との高さを合わせるようにしても良い。例えば、紙幣収納スロット１２Ｂに大紙幣収納庫２５Ａを装填する場合に、当該大紙幣収納庫２５Ａの上面に形成された受渡口の高さを、下部筐体１２が筐体１０（図２）内に収納されたとき搬送部２１（図２）側の受渡口との高さに合わせるようにしても良い。
【０１０４】
また上述した第１の実施の形態においては、下段小紙幣収納庫２５Ｂに対する上段小紙幣収納庫２５Ｃの高さを所望の高さに合わせ、第２の実施の形態においては紙幣収納スロット１１２Ｂに対する下段小紙幣収納庫１２５Ｂの高さを所望の高さに合わせる場合について述べた。しかしながら本発明はこれに限らず、例えばリジェクトスロット１２Ｒ（図４）に対するリジェクト庫２４の高さを所望の高さに合わせる場合等、紙幣を収納する種々の収納庫を所望の高さに合わせる場合に適用しても良い。
【０１０５】
さらに上述した第２の実施の形態においては、紙幣収納スロット１１２Ｂにおける底部１３１の上面１３１Ａに位置決支持部１３３を立設し、当該上面１３１Ａ上における前後左右の頂点近傍に回避空間１３７を形成する場合について述べた（図１４）。
【０１０６】
しかしながら本発明はこれに限らず、例えば図１４と対応する図１９に示す紙幣収納スロット２１２Ｂのように、底部２３１の厚さが比較的大きく、上面２３１Ａと台座上面２３４Ａとが同一平面上にあるような場合に、当該上面２３１Ａよりも下方に穴を穿設することにより、脚部３６を逃がすための回避穴２３７を形成しても良い。この場合、上面２３１Ａのほぼ全体が台座上面１３４Ａと同等の機能を果たし、下段小紙幣収納庫１２５Ｂの下面１３０Ｂのほぼ全体が被支持部１５４と同等の機能を果たすことになる。これと同様に、第１の実施の形態において、段差面３０ＡＤに突出脚部５５を逃がすための穴を穿設して回避空間３５を形成しても良い。また、台座部３４の台座上面３４Ａ（図６）を上面３０Ａと同等の高さとしても良い。この場合、固定脚部５６の固定下面５６Ａ（図９）は、第２の実施の形態における被支持部１５４と同様、下面５０Ｂと同等の高さとしても良い。
【０１０７】
さらに上述した第１の実施の形態においては、上段小紙幣収納庫２５Ｃの下面３０Ｂから下方へ突出するように突出脚部５５及び固定脚部５６を設けると共に、下段小紙幣収納庫２５Ｂの上部に台座部３４及び回避空間３５を形成した。これにより、固定下面５６Ａ及び台座上面３４Ａを当接させた際に、下段小紙幣収納庫２５Ｂに対する上段小紙幣収納庫２５Ｃの上下方向の位置を所望の位置に合わせる場合について述べた。
【０１０８】
しかしながら本発明はこれに限らず、例えば図２０に平面図を示すように、下段小紙幣収納庫３２５Ｂにおける前後左右の各稜線の近傍に衝撃吸収材３３６Ｓを取り付けても良い。この場合、筐体３３０における前後左右の各側面に当該衝撃吸収材３３６Ｓよりも各側面からの突出量が小さい固定脚部３５６をそれぞれ立設させる。さらにこの場合、紙幣収納スロット３１２Ｂにおける前後左右の各内側面に、各固定脚部３５６とそれぞれ当接するように台座部３３４を設けると共に衝撃吸収材３３６Ｓを逃がすための回避空間３３５を形成する。すなわち本発明は、固定脚部及び台座部を互いに当接させることで、紙幣収納スロット１２Ｂ等に対する上段小紙幣収納庫２５Ｃ等の種々の方向に関する位置を、所望の位置に合わせるようにしても良い。
【０１０９】
また上述した第１の実施の形態においては、上段小紙幣収納庫２５Ｃの下面５０Ｂに、突出脚部５５及び固定脚部５６を一体に組み合わせた脚部５４を設ける場合について述べた（図９）。しかしながら本発明はこれに限らず、例えば図９と対応する図２１（Ａ）に示すように、上段小紙幣収納庫４２５Ｃの下面５０Ｂに、突出脚部４５５及び固定脚部４５６を互いに分離して設けても良い。この場合、下段小紙幣収納庫２５Ｂの上部において、各固定脚部４５６と対応する位置に台座部３４を設ければ良い。さらにこの場合、固定脚部４５６を必ずしも突出脚部４５５と対応付けて配置する必要や、同数にする必要は無く、下面５０Ｂにおける任意の箇所に、３個以下又は５個以上の固定脚部４５６を設けても良い。
【０１１０】
さらに上述した第１の実施の形態においては、上段小紙幣収納庫２５Ｃの下面５０Ｂに４個の固定脚部５６を設け、下段小紙幣収納庫２５Ｂの上部に４個の台座部３４を設ける場合について述べた。しかしながら本発明はこれに限らず、３個以下又は５個以上の固定脚部５６及び台座部３４をそれぞれ設けても良い。この場合、上段小紙幣収納庫２５Ｃの重心を下面５０Ｂに投影した投影点を囲む３箇所以上に固定脚部５６をそれぞれ配置し、これらとそれぞれ対向する箇所に台座部３４をそれぞれ配置して当接させることにより、下段小紙幣収納庫２５Ｂに対する上段小紙幣収納庫２５Ｃの傾斜角度を所望の角度に合わせ、且つ固定することができる。
【０１１１】
さらに上述した第１の実施の形態においては、突出脚部５５及び固定脚部５６を一体に組み合わせた脚部５４において、当該突出脚部５５及び固定脚部５６の間に傾斜面を形成する場合について述べた（図９）。しかしながら本発明はこれに限らず、例えば図９と対応する図２１（Ｂ）に示す脚部５５４のように、突出脚部５５５及び固定脚部５５６の間に湾曲面を形成しても良く、或いは図２１（Ｃ）に示す脚部６５４のように、突出脚部６５５及び固定脚部６５６の間に、固定下面６５６Ａと同等の高さでなる平面を形成しても良い。
【０１１２】
さらに上述した第１の実施の形態においては、脚部５４において突出脚部５５を左右の外方に配置し、固定脚部５６その内側に配置する場合について述べた（図８、図９）。しかしながら本発明はこれに限らず、例えば図９と対応する図２１（Ｄ）に示す脚部７５４のように、固定脚部７５６を左右の外方に配置し、突出脚部７５５をその内側に配置しても良い。この場合、下段小紙幣収納庫２５Ｂの上部において、左右の外方に台座部３４を配置し、その内側に回避空間３５を形成すれば良い。
【０１１３】
さらに上述した第１の実施の形態においては、左右の脚部５４を互いに独立させる場合について述べた（図８）。しかしながら本発明はこれに限らず、例えば図２２に示す連結脚部８５４のように、左右方向に長い連結固定脚部８５６を形成しても良い。この場合、下段小紙幣収納庫２５Ｂの上部において、当該連結固定脚部８５６と対応する何れか１箇所以上に台座部３４を配置することができる。また、前後の脚部５４を互いに連結させても良い。
【０１１４】
さらに上述した第１の実施の形態においては、固定脚部５６の固定下面５６Ａ及び台座部３４の台座上面３４Ａを何れも長方形ないし正方形状とする場合について述べた。しかしながら本発明はこれに限らず、これらを種々の形状としても良く、或いは４箇所の固定下面５６Ａをそれぞれ異なる形状とし、４箇所の台座上面３４Ａをそれぞれ異なる形状としても良い。また、固定下面５６Ａ及び台座上面３４Ａの形状を必ずしも対応させる必要は無く、互いに異なる形状としても良い。この場合、固定下面５６Ａの少なくとも一部と台座上面３４Ａの少なくとも一部とが互いに当接することで下段小紙幣収納庫２５Ｂに対する上段小紙幣収納庫２５Ｃの高さを保持できれば良い。また互いに当接する部分は面に限らず、線や点であっても良い。第２の実施の形態についても同様である。
【０１１５】
さらに上述した第１の実施の形態においては、樹脂材料により固定脚部５６や突出脚部５５の脚本体部５５Ｒ等を筐体３０と一体に形成する場合について述べた。しかしながら本発明はこれに限らず、例えば固定脚部５６や突出脚部５５の脚本体部５５Ｒ等を筐体３０とは別に構成し、ねじや接着剤等の固定部材を用いて筐体３０に取り付けても良い。この場合、固定脚部５６や突出脚部５５の脚本体部５５Ｒ等は樹脂材料に限らず、例えば金属材料等の他の種々の等でも良く、十分な剛性を有していれば良い。台座部３４や第２の実施の形態における台座部１３４についても同様である。
【０１１６】
さらに上述した第１の実施の形態においては、突出脚部５５を、硬質な樹脂材料により構成された脚本体部５５Ｒと、その下端取り付けられた上下方向に薄い板状の衝撃吸収材５５Ｓとにより構成する場合について述べた。しかしながら本発明はこれに限らず、例えば突出脚部５５及び固定脚部５６を分離して構成する場合に、当該突出脚部５５全体を柔軟な材料により構成して衝撃吸収材５５Ｓとしても機能させるようにしても良い。また、衝撃吸収材５５Ｓとしては、樹脂等の材料が一様に充填された、いわば中実な構成に限らず、内部に空間を有する、いわゆる中空な構成としても良い。この場合、衝撃が加わった際に内部の空気を一時的に圧縮させてばねのように機能させて、衝撃を大きく吸収することができる。第２の実施の形態における脚部３６についても同様である。
【０１１７】
さらに上述した第１の実施の形態においては、４個の固定脚部５６において、上段小紙幣収納庫２５Ｃにおける下面３０Ｂから固定下面５６Ａまでの距離を距離Ｌ３（図９）に統一し、且つ下段小紙幣収納庫２５Ｂにおける上面３０Ａから台座上面３４Ａまでの距離を距離Ｌ１（図６）に統一する場合について述べた。しかしながら本発明はこれに限らず、例えば固定脚部５６ごとに下面３０Ｂから固定下面５６Ａまでの距離を相違させても良い。この場合、上面３０Ａから台座上面３４Ａまでの距離を各固定脚部５６に合わせてそれぞれ相違させれば良い。
【０１１８】
さらに上述した第１の実施の形態においては、本発明を金融機関の窓口等に設置され主に金融機関の職員等に使用される紙幣処理装置１に本発明を適用する場合について述べた。しかしながらこれに限らず、例えば現金自動預払機（ＡＴＭ）や両替機、或いは自動販売機等のように紙幣を取り扱う種々の装置であって、当該紙幣を収納する紙幣収納庫を本体に対して着脱可能なものに本発明を適用しても良い。或いは、証券や金券、若しくは入場券等のような種々の媒体を取り扱う種々の装置であって、当該媒体を収納する収納庫を本体に対して着脱可能なものに本発明を適用しても良い。第２の実施の形態についても同様である。
【０１１９】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１２０】
さらに上述した第１の実施の形態においては、収納庫としての上段小紙幣収納庫２５Ｃと、可変当接部としての突出脚部５５と、固定当接部としての固定脚部５６と、支持体としての下段小紙幣収納庫２５Ｂと、台座部としての台座部３４と、当接回避部としての回避空間３５とによって媒体収納装置としての下部筐体１２を構成する場合について述べた。しかしながら本発明はこれに限らず、その他種々の構成でなる収納庫と、可変当接部と、固定当接部と、支持体と、台座部と、当接回避部とによって媒体収納装置を構成しても良い。
【０１２１】
さらに上述した第１の実施の形態においては、媒体収納装置としての下部筐体１２を内部に有する媒体処理装置としての紙幣処理装置１であって、当該媒体収納装置を、収納庫としての上段小紙幣収納庫２５Ｃと、可変当接部としての突出脚部５５と、固定当接部としての固定脚部５６と、支持体としての下段小紙幣収納庫２５Ｂと、台座部としての台座部３４と、当接回避部としての回避空間３５とによって構成する場合について述べた。しかしながら本発明はこれに限らず、その他種々の構成でなる媒体収納装置を内部に有する媒体処理装置であって、当該媒体収納装置を、収納庫と、可変当接部と、固定当接部と、支持体と、台座部と、当接回避部とによって構成しても良い。
【産業上の利用可能性】
【０１２２】
本発明は、媒体を収納する収納庫を装置本体に対して着脱可能な種々の装置でも利用できる。
【符号の説明】
【０１２３】
１、１０１……紙幣処理装置、１２、１１２……下部筐体、１２Ｂ、１１２Ｂ……紙幣収納スロット、１２Ｒ……リジェクトスロット、１３……制御部、２１……搬送部、２４……リジェクト庫、２５……紙幣収納庫、２５Ａ……大紙幣収納庫、２５Ｂ、１２５Ｂ……下段小紙幣収納庫、２５Ｃ……上段小紙幣収納庫、３０、１３０……筐体、３０Ａ……上面、３０ＡＤ……段差面、３０Ｂ、１３０Ｂ……下面、３２……上受渡口、３３……位置決孔、３４……台座部、３４Ａ……台座上面、３５……回避空間、３６……脚部、３６Ｒ……脚本体部、３６Ｓ……衝撃吸収材、３６ＳＡ……脚部下面、５０……筐体、５０Ａ……上面、５０Ｂ……下面、５２……上受渡口、５４……脚部、５５……突出脚部、５５Ｒ……脚本体部、５５Ｓ……衝撃吸収材、５５ＳＡ……突出下面、５６……固定脚部、５６Ａ……固定下面、５８……下受渡口、５９……位置決突起、１３０Ｐ……当接点、１３１……底部、１３１Ａ……上面、１３２……前側板、１３３……位置決支持部、１３４……台座部、１３４Ａ……台座上面、１３５……ポスト、１３７……回避空間、１３８……スロット側コネクタ、１５３……位置決孔、１５４……被支持部、１５６……収納庫側コネクタ、２１２Ｂ……紙幣収納スロット。
【図１】
2015197686.tif 000003
【図２】
2015197686.tif 000004
【図３】
2015197686.tif 000005
【図４】
2015197686.tif 000006
【図５】
2015197686.tif 000007
【図６】
2015197686.tif 000008
【図７】
2015197686.tif 000009
【図８】
2015197686.tif 000010
【図９】
2015197686.tif 000011
【図１０】
2015197686.tif 000012
【図１１】
2015197686.tif 000013
【図１２】
2015197686.tif 000014
【図１３】
2015197686.tif 000015
【図１４】
2015197686.tif 000016
【図１５】
2015197686.tif 000017
【図１６】
2015197686.tif 000018
【図１７】
2015197686.tif 000019
【図１８】
2015197686.tif 000020
【図１９】
2015197686.tif 000021
【図２０】
2015197686.tif 000022
【図２１】
2015197686.tif 000023
【図２２】
2015197686.tif 000024